(57)【特許請求の範囲】
【請求項１】
ルーバー本体と、
前記ルーバー本体の背面に並設された複数枚のフィンと、前記ルーバー本体の背面に沿って配管された給液管により構成された冷却部を備え、前記給液管は前記ルーバー本体の背面に立設された複数のフィンを貫通した状態で配管されていることを特徴とするルーバー。
【請求項２】
前記ルーバー本体に備えている給液部の内部を流れる冷却液と外気との温度差により、給液管の外周面に結露が生じて、日光の照射により熱せられたルーバー本体の熱により蒸発することを特徴とする請求項１記載のルーバー。
【発明の詳細な説明】
【技術分野】
【０００１】
本発明は、ルーバーに関する。
【背景技術】
【０００２】
ルーバーは、建物等の外面に設置されることで、通風や内部からの眺望を確保しつつ、遮光を行い、建物本体や建物の内部の温度上昇を抑制する。
【０００３】
従来のルーバーは、日射によりルーバー自体の温度が上昇することに対しては対策を講じる思想はなかった。
このようにルーバー自体が日射により高温となると、ルーバー間を通過する空気も暖められるため、通風による建物等の冷却効果が低下する場合がある。
【０００４】
そのため、特許文献１には、建物の外周部分に配置された散水ルーバーから水を糸水状に流下させることで散水カーテンを形成し、建物内に導入される通風を冷却する散水カーテン形成装置が開示されている。
【先行技術文献】
【特許文献】
【０００５】
【特許文献１】特開２００９−１５５８７４号公報
【発明の概要】
【発明が解決しようとする課題】
【０００６】
ところが、特許文献１のルーバーは、通風の冷却が可能であるものの、日光の照射を調整することができず、また、糸水状に流下する散水カーテンにより内部からの眺望も妨げられるため、ルーバーに期待される機能を確保することができなかった。
【０００７】
本発明は、遮光、通風、眺望を確保しつつ、ルーバーとその周囲の空気を冷却することを可能としたルーバーを提供することを課題とする。
【課題を解決するための手段】
【０００８】
前記課題を解決するために、本発明のルーバーは、ルーバー本体と、前記ルーバー本体の背面側に配設された給液部材と、を備えており、日射により高温となった前記ルーバー本体の熱により、前記給液部材からしみ出た水が気化するように構成されていることを特徴としている。
【０００９】
かかるルーバーによれば、高温になったルーバーの熱により給液部材からしみ出した水が気化するため、この気化熱によりルーバー間を通過する空気が冷却される。また、これに伴いルーバー本体の冷却も可能としている。
【００１０】
このような前記給液部材が、テラコッタ等の水の浸透が可能な材質からなる管材や多数の孔が形成された管材であることが望ましい。
【００１１】
また、第２の発明に係るルーバーは、ルーバー本体と、前記ルーバー本体の背面側に配設された給液部材と、を備えるルーバーであって、前記給液部材内には低温水または冷媒が通液されており、前記給液部材の外面に発生した結露が、日射により高温となった前記ルーバー本体の熱により気化するように構成されていることを特徴としている。
【００１２】
かかるルーバーによれば、高温になったルーバーの熱により、給液部材の外面に発生した結露が気化するため、この気化熱によりルーバー間を通過する空気が冷却される。また、これに伴いルーバー本体の冷却も可能としている。
【００１３】
また、前記ルーバーについて、前記ルーバー本体の背面に、フィンが形成されていてもよい。
【発明の効果】
【００１４】
本発明のルーバーによれば、日射により高温となったルーバーを冷却するとともに、ルーバー周囲の空気の冷却が可能となる。
【図面の簡単な説明】
【００１５】
【図１】本発明の好適な実施の形態に係るルーバー装置を模式的に示す側面図である。
【図２】（ａ）は第１実施形態に係るルーバーの正面図、（ｂ）は同ルーバーの平面図、（ｃ）は（ａ）の変形例である。
【図３】第１実施形態のルーバーの詳細を示す断面図である。
【図４】第１実施形態のルーバーの作用を示す模式図である。
【図５】（ａ）は第２実施形態に係るルーバーを示す斜視図、（ｂ）は同ルーバーの断面図である。
【図６】ルーバーの変形例を示す断面図である。
【発明を実施するための形態】
【００１６】
本発明の好適な実施の形態について、図面を参照して説明する。
各実施形態では、図１に示すように、建物等の構造物Ｔの壁面に沿って配設されたルーバー装置１について説明する。
【００１７】
＜第１実施形態＞
第１実施形態のルーバー装置１は、支柱２０，２０に横架された複数のルーバー１０，１０，…が所定の間隔をあけて上下方向に並設されることで構成されている。
ルーバー装置１は、日光Ｓが直接構造物Ｔに照射することを防止すると同時に、ルーバー１０同士の間からの通風Ａが可能に構成されている。
【００１８】
ルーバー１０は、図２（ａ）に示すように、上下に配設された他のルーバー１０との間に所定の間隔をあけた状態で、支柱２０，２０に横架されている。なお、ルーバー１０を支持する支柱２０の本数や配置は限定されるものではなく、適宜設定することが可能である。
【００１９】
本実施形態のルーバー１０は、図３に示すように、ルーバー本体１１と、ルーバー本体１１の背面側に配設された冷却部１２と、を備えて構成されている。
【００２０】
ルーバー本体１１は、日光Ｓの照射側に配設された平板状の部材であって、本実施形態ではアルミニウム合金により構成している。
なお、本実施形態のルーバー本体１１は、平板状を呈しているが、ルーバー本体１１の断面形状や厚み等は適宜設定することが可能である。また、ルーバー本体１１を構成する材料も限定されるものではない。
【００２１】
冷却部１２は、ルーバー本体１１の背面に配設された断面コ字状のカバー部材１２ｂと、カバー部材１２ｂとルーバー本体１１とにより形成された空間に配管される複数本の給水管（給液部材）１２ａ，１２ａ，…と、により構成されている。
【００２２】
給水管１２ａは、ルーバー本体１１の背面に水ｗを輸送する輸送管であって、水ｗの浸透が可能な材質（例えばテラコッタ等）からなる管材や多数の孔が形成された管材等により構成されている。なお、ルーバー１０に配設される給水管１２ａの本数は限定されるものではなく、適宜設定することが可能である。
【００２３】
カバー部材１２ｂは、多数の孔が形成された断面コ字状の部材である。カバー部材１２ｂの形状は限定されるものではないが、ルーバー本体１１の背面への給水管１２ａの配管が可能となるように適宜構成する。また、本実施形態ではカバー部材１２ｂをパンチングメタルにより構成するが、カバー部材１２ｂは、通気が可能な材質であれば限定されるものではなく、例えばテラコッタ製のパネルにより構成してもよい。
【００２４】
給水管１２ａ内には、図示しないポンプを介して水ｗが流れている。なお、水ｗとしては、上水、井戸水、予め貯留された雨水等、あらゆる水が使用可能である。
【００２５】
給水管１２ａにより輸送された水ｗのうち、ルーバー本体１１の背面において給水管１２ａの外面にしみ出した水ｗは、日光Ｓの照射により熱せられたルーバー本体１１の熱により蒸発する。
【００２６】
なお、本実施形態では、冷却部１２として、給水管１２ａとカバー部材１２ｂとを組み合わせて構成するものとしたが、ルーバー本体１１の背面に、給水管１２ａを直接固定することで、カバー部材１２ｂを省略してもよい。
また、ルーバー１０への水の供給は、必ずしも管（給水管１２ａ）により行う必要はなく、給液部材の構成は限定されるものではない。
【００２７】
なお、図２（ａ）では、３つのルーバー１０を図示しているが、中央のルーバー１０に給水管１２ａの配管を示している。
【００２８】
支柱２０は、ルーバー１０を支持する部材であって、本実施形態では、図１および図２に示すように、構造物Ｔの壁面（窓面を含む）に沿って立設された２本の支柱２０によりルーバー１０，１０，…を支持している。
【００２９】
支柱２０の構成は限定されるものではないが、本実施形態では、Ｈ型鋼により構成する（図２（ｂ）参照）。
支柱２０は図示しないブラケットを介して構造物Ｔに固定されている。なお、支柱２０の固定方法は限定されるものではなく、例えば自立していてもよい。
【００３０】
支柱２０には、図２（ｂ）に示すように、支柱２０のフランジに沿って管路２１が配置されている。
【００３１】
本実施形態では、左右の支柱２０，２０にそれぞれ管路２１を配置するものとし、一方の管路２１を給水管１２ａに水ｗを供給する供給路２１ａとして使用し、他方の管路２１を給水管１２ａから排出された水ｗを排液する排水路２１ｂとして使用する。
【００３２】
本実施形態では、管路２１として、管材を配管するが、管路２１の構成は限定されるものではなく、適宜設定することが可能である。
管路２１には、図示しない分岐管が接続されており、各ルーバー１０に配管された給水管１２ａと管路２１とが分岐管を介して接続されている。
【００３３】
給水管１２ａは、必ずしも各ルーバー１０に対して複数本配管されている必要はなく、
図２（ｃ）に示すように、複数の曲がり部を有した１本の給水管１２ａを配管してもよい。このとき給水管１２ａは、給水管１２ａ内に空気が残留することがないように、給水管１２ａ内を流れる水ｗが下側から上側に向かって流れるように配管することが望ましい。
【００３４】
以上、本実施形態のルーバー装置１によれば、日光Ｓによる建物Ｔへの照射を制御しつつ建物Ｔへの通風Ａおよび建物Ｔからの眺望を確保することを可能としている。そして、図４に示すように、日光Ｓの照射によりルーバー本体１１の温度が上昇すると、ルーバー本体１１の背面に配管された給水管１２ａから染み出した水ｗが気化する。そのため、水ｗの気化熱によりルーバー１０が冷却される。
【００３５】
また、カバー部材１２ｂは、通気が可能に構成されているため、水ｗの気化により冷却された空気がカバー部材１２ｂを通気して、ルーバー本体１１の周囲の空気が冷却される。そのため、ルーバー１０同士の間を流れる通風Ａが冷却されるため、建物Ｔの冷却も行われる。
【００３６】
なお、第１実施形態では、カバー部材１２ｂに覆われた給水管１２ａの外面にしみ出した水ｗがルーバー１０の温度により気化する場合について説明したが、給水管１２ａにより輸送された水ｗがカバー部材１２ｂの外面にしみ出して気化することでルーバー１０およびその周囲の冷却を行うものとしてもよい。
【００３７】
＜第２実施形態＞
第２実施形態のルーバー装置１のルーバー１０は、図５（ａ）および（ｂ）に示すように、冷却部１２が給液管１２ｃとフィン１２ｄにより構成されている点で、第１実施形態のルーバー装置１と異なっている。
【００３８】
冷却部１２は、ルーバー本体１１の背面に並設された複数枚のフィン１２ｄ，１２ｄ，…と、ルーバー本体１１の背面に沿って配管された給液管（給液部材）１２ｃと、により構成されている。
【００３９】
給液管１２ｃは、内部に冷水（低温水）または冷媒からなる冷却液ｗ１が通液された管路である。
給液管１２ｃは、複数の曲がり部を有しており、ルーバー本体１１の背面に立設された複数のフィン１２ｄ，１２ｄ，…を貫通した状態で配管されている。
【００４０】
本実施形態では、給液管１２ｃとして、１つのルーバー１０に対して複数の曲がり部を有した１本の管材を配管するものとしたが、複数本の管材を配管してもよい。また、給液管１２ｃの材質は限定されるものではないが、本実施形態では金属管を使用する。
【００４１】
フィン１２ｄ，１２ｄ，…は、ルーバー本体１１の背面に固定された板材からなり、ルーバー本体１１の長手方向に沿って、所定の間隔をあけて並設されている。
フィン１２ｄは、板材をルーバー本体１１の長手方向に直交するように立設させた状態で固定することで、通風Ａがフィン１２ｄ同士の間を通って建物Ｔに通気するように構成されている。なお、フィン１２ｄは、ルーバー本体１１の長手方向に対する角度を調節することが可能に配置されていてもよい。また、フィン１２ｄは必要に応じて形成すればよく、省略してもよい。
【００４２】
この他の第２実施形態に係るルーバー装置１の構成は、第１実施形態で示した内容と同様なため、詳細な説明は省略する。
【００４３】
第２実施形態のルーバー１０によれば、給液管１２ｃの内部を流れる冷却液ｗ１と外気
との温度差により、給液管１２ｃの外周面に結露が生じる。この結露は、日光Ｓの照射により熱せられたルーバー本体１１の熱により蒸発する。そのため、この気化熱によりルーバー本体１１の背面側とフィン１２ｄ，１２ｄ，…が冷却されて、ルーバー１０同士の間を流れる通風Ａも冷却される。
【００４４】
この他の第２実施形態に係るルーバー装置１の作用効果は、第１実施形態で示した内容と同様なため、詳細な説明は省略する。
【００４５】
以上、本発明について、好適な実施形態について説明した。しかし、本発明は、前述の各実施形態に限られず、前記の各構成要素については、本発明の趣旨を逸脱しない範囲で、適宜変更が可能であることはいうまでもない。
【００４６】
例えば、前記実施形態では、建物Ｔの壁面に沿って複数のルーバー１０，１０，…を配置する場合について説明したが、ルーバー１０，１０，…の設置箇所は限定されるものではなく、例えば、建物Ｔの屋上に配置してもよい。
【００４７】
また、建物Ｔの用途、形状、規模等は限定されるものではない。
【００４８】
また、前記各実施形態では、給液部材として管材を使用するものとしたが、ルーバー本体１１の背面まで水や冷媒を輸送し、その外面で水（結露）を気化させることが可能であれば、給液部材の構成は限定されるものではない。
【００４９】
また、図６に示すように、ルーバー本体１１の表面に太陽電池モジュール１３を設置することで、発電可能に構成してもよい。かかるルーバー１０によれば、太陽光を利用した発電によりＣＯ２の排出量の低減化が可能となり、環境に優しい構造物を構築することが可能となる。また、ルーバー本体１１は、気化熱により冷却されるため、ルーバー本体１１が高温になることで、太陽電池モジュール１３による発電効率が低下することが防止される。なお、太陽電池モジュール１３の構成は限定されるものではなく、適宜設定することが可能である。
【符号の説明】
【００５０】
１      ルーバー装置
１０    ルーバー
１１    ルーバー本体
１２    冷却部
１２ａ  給水管（給液部材）
１２ｃ  給液管（給液部材）
１２ｄ  フィン
Ｓ      日光
ｗ      水
ｗ１    冷却液（低温水または冷媒）
【図１】
0005893183.tif 000002
【図２】
0005893183.tif 000003
【図３】
0005893183.tif 000004
【図４】
0005893183.tif 000005
【図５】
0005893183.tif 000006
【図６】
0005893183.tif 000007